(57)【要約】【課題】記憶された多数のプログラム情報から選択可能なプログラム情報を簡単な操作で絞り込み、所望のプログラム情報を容易に選択することができる画像処理装置を提供する。【解決手段】所望の動作モードが選択可能なモード選択処理部５０と、選択された動作モードをプログラム情報としてプログラム記憶部２０ｆに記憶するプログラム登録処理部５１と、前記プログラム記憶部２０ｆに記憶された複数のプログラム情報から所望のプログラム情報が選択可能なプログラム選択処理部５２と、前記プログラム選択処理部５２で選択されたプログラム情報に基づいて前記動作モードを設定するプログラム呼出処理部５３を備えた画像処理装置１００に、前記プログラム記憶部２０ｆに記憶された複数のプログラム情報から個別の動作モードに対応する検索キー情報に基づいてプログラム情報を検索するプログラム情報検索処理部５４を備える。【選択図】図１
2009083244.tif 000002
【特許請求の範囲】
【請求項１】
複数の動作モードから所望の動作モードが選択可能なモード選択処理部と、前記モード選択処理部で選択された動作モードをプログラム情報としてプログラム記憶部に記憶するプログラム登録処理部と、前記プログラム記憶部に記憶された複数のプログラム情報から所望のプログラム情報が選択可能なプログラム選択処理部と、前記プログラム選択処理部で選択されたプログラム情報に基づいて前記動作モードを設定するプログラム呼出処理部を備えている画像処理装置であって、
前記プログラム記憶部に記憶された複数のプログラム情報から個別の動作モードに対応する検索キー情報に基づいてプログラム情報を検索するプログラム情報検索処理部を備えている画像処理装置。
【請求項２】
前記プログラム情報検索処理部に、各動作モードに対応した任意の検索キー情報を生成可能な検索キー情報設定部を備えている請求項１記載の画像処理装置。
【請求項３】
前記プログラム選択処理部に、前記プログラム記憶部に記憶された各プログラム情報に対応付けられ、選択可能なプログラムリストを表示するプログラムリスト表示処理部が設けられ、前記プログラムリスト表示処理部は前記プログラム情報検索処理部による検索結果に対応して選択可能なプログラムリストを更新表示する請求項１または２記載の画像処理装置。
【請求項４】
前記モード選択処理部で選択可能な動作モードは装置によって実現可能な機能単位で且つ各機能の詳細が設定可能なパラメータで設定され、前記動作モードに対応する検索キー情報は前記機能単位で設定される請求項１から３の何れかに記載の画像処理装置。
【発明の詳細な説明】
【技術分野】
【０００１】
本発明は、複数の動作モードから所望の動作モードが選択可能なモード選択処理部と、前記モード選択処理部で選択された動作モードをプログラム情報としてプログラム記憶部に記憶するプログラム登録処理部と、前記プログラム記憶部に記憶された複数のプログラム情報から所望のプログラム情報が選択可能なプログラム選択処理部と、前記プログラム選択処理部で選択されたプログラム情報に基づいて前記動作モードを設定するプログラム呼出処理部を備えている画像処理装置に関する。
【背景技術】
【０００２】
オペレータの作業効率や利便性を向上し、または、オペレータの機能選択ミスを防止することができるように、頻繁に使用される動作モードをプログラム情報として予め登録可能に構成された装置では、オペレータは必要に応じてプログラム情報を呼び出して、装置を所望の動作モードで動作させることができる。
【０００３】
例えば、複合機等の画像処理装置は、元画像を縮小または拡大する縮小／拡大モード、元画像のコピー濃度を変更するコピー濃度モード、用紙を給紙するカセットを変更する用紙設定モードなど様々な動作モードを備えており、オペレータはよく使用する動作モードを予めプログラム情報として登録しておくことで、必要なときに対応するプログラム情報を呼び出して画像処理装置を所望の動作モードで動作させることができる。
【０００４】
プログラム情報の登録や呼び出しが可能な画像処理装置として、例えば、特許文献１には、煩雑な作業を行うことなく、一度のキー操作でプログラム情報の登録や呼び出しを行うことができる技術として、用紙サイズ、コピー倍率、画像編集、両面コピー、後処理等の各種コピーモードを入力するコピーモード入力設定手段を備え、この入力設定手段によって入力設定されたコピーモードでコピー動作可能な多モード型の画像処理装置において、コピーモード入力設定手段によって設定されたコピーモードの呼び出し及び登録の２つの機能を有するコピーモード呼び出し／登録手段を備え、かつ、画像処理装置の状態により、コピーモード呼び出し／登録手段によるプログラムの呼び出しと登録を切り替える制御手段を備えたことを特徴とする画像処理装置が提案されている。
【特許文献１】特開平１１−２４５１１号公報
【発明の開示】
【発明が解決しようとする課題】
【０００５】
ところで、数多くのプログラム情報が登録された画像処理装置からプログラム情報を呼び出すとき、オペレータは、登録された数多くのプログラム情報から所望のプログラム情報を探し出して選択する必要があり、煩雑な作業を要求される。
【０００６】
例えば、登録されたプログラム情報が表示部にリスト表示されるように構成された画像処理装置では、オペレータは、表示部に表示されるリスト画面を切り替え、または、スクロールして新たなリストを表示する等の煩雑な作業を行って、当該リストの中から所望のプログラム情報を探し出さねばならない。
【０００７】
また、画像処理装置に登録されるプログラム情報には、判別が可能なように、通常、個別の名前が付与されるが、当該名前をオペレータが失念すると、所望のプログラム情報を選択することは非常に困難なものとなる。
【０００８】
本発明の目的は、上述の問題に鑑み、記憶された多数のプログラム情報から選択可能なプログラム情報を簡単な操作で絞り込み、所望のプログラム情報を容易に選択することができる画像処理装置を提供する点にある。
【課題を解決するための手段】
【０００９】
上述の目的を達成するため、本発明による画像処理装置の第一の特徴構成は、特許請求の範囲の書類の請求項１に記載した通り、複数の動作モードから所望の動作モードが選択可能なモード選択処理部と、前記モード選択処理部で選択された動作モードをプログラム情報としてプログラム記憶部に記憶するプログラム登録処理部と、前記プログラム記憶部に記憶された複数のプログラム情報から所望のプログラム情報が選択可能なプログラム選択処理部と、前記プログラム選択処理部で選択されたプログラム情報に基づいて前記動作モードを設定するプログラム呼出処理部を備えている画像処理装置であって、前記プログラム記憶部に記憶された複数のプログラム情報から個別の動作モードに対応する検索キー情報に基づいてプログラム情報を検索するプログラム情報検索処理部を備えている点にある。
【００１０】
上述の構成によれば、オペレータは、所望の動作モードに対応する検索キー情報に基づいてプログラム情報検索処理部により検索を実行することで、プログラム記憶部に記憶された複数のプログラム情報を絞り込むことができるので、選択すべきプログラム情報を容易に選択することができる。
【００１１】
同第二の特徴構成は、同請求項２に記載した通り、上述の第一の特徴構成に加えて、前記プログラム情報検索処理部に、各動作モードに対応した任意の検索キー情報を生成可能な検索キー情報設定部を備えている点にある。
【００１２】
上述の構成によれば、オペレータは、複雑な作業を行うことなく、検索キー情報設定部を用いて所望の動作モードに対応する検索キー情報を簡単に生成することができる。
【００１３】
同第三の特徴構成は、同請求項３に記載した通り、上述の第一または二の特徴構成に加えて、前記プログラム選択処理部に、前記プログラム記憶部に記憶された各プログラム情報に対応付けられ、選択可能なプログラムリストを表示するプログラムリスト表示処理部が設けられ、前記プログラムリスト表示処理部は前記プログラム情報検索処理部による検索結果に対応して選択可能なプログラムリストを更新表示する点にある。
【００１４】
上述の構成によれば、選択可能なプログラム情報がプログラムリストに表示されるため、オペレータは、プログラムリストから所望の動作モードに対応するプログラム情報を容易に選択することができる。
【００１５】
同第四の特徴構成は、同請求項４に記載した通り、上述の第一から三の何れかの特徴構成に加えて、前記モード選択処理部で選択可能な動作モードは装置によって実現可能な機能単位で且つ各機能の詳細が設定可能なパラメータで設定され、前記動作モードに対応する検索キー情報は前記機能単位で設定される点にある。
【００１６】
上述の構成によれば、検索キー情報はパラメータを含まない機能単位で設定されるため、プログラム情報検索処理部は当該検索キー情報に基づいてプログラム記憶部に記憶された複数のプログラム情報を検索し、選択可能なプログラム情報を高速に絞り込むことができる。
【発明の効果】
【００１７】
以上説明した通り、本発明によれば、記憶された多数のプログラム情報から選択可能なプログラム情報を簡単な操作で絞り込み、所望のプログラム情報を容易に選択することができる画像処理装置を提供することができるようになった。
【発明を実施するための最良の形態】
【００１８】
以下に、本発明の画像処理装置の一例である複合機について説明する。
【００１９】
図２に示すように、電子写真方式を採用したカラー複合機１００は、原稿給紙台１１１に載置された原稿等から原稿画像を光電変換してデジタル画像データとして読み取る画像読取部１１０と、トナー像を形成して用紙収容部４００から搬送された用紙に転写し、用紙に定着して出力する画像出力部１２０と、ＬＡＮを介してパーソナルコンピュータ等と通信を行うネットワークインタフェース部１３０と、公衆回線を介してファクシミリ等と通信を行うファックス通信部１４０と、カラー複合機１００のマンマシンインタフェースである操作部２００等の機能ブロックと、これらの機能ブロックを統括制御するシステム制御部３０等を備えて構成される。
【００２０】
画像読取部１１０は、原稿給紙台１１１に載置された原稿を順次給紙する原稿自動送り装置と、原稿を照明する光源と、複数のミラー及びレンズを介して入光する原稿からの反射光を光電変換して原稿画像をデジタル画像データとして読み取るＣＣＤ等の撮像素子を備える。画像読取部１１０の画像読取動作は画像読取制御部１１により制御される。
【００２１】
画像出力部１２０は、感光体と、感光体表面を一様に帯電する帯電装置と、レーザビームを走査して感光体表面を露光して静電潜像を形成する露光装置と、形成された静電潜像をトナー像として顕像化する現像装置などを備えた感光体ユニットをＭ、Ｃ、Ｙ、Ｋのトナー色毎に備え、各感光体ユニットで形成されたトナー像を重畳して用紙収容部４００から搬送された用紙に転写し、トナー像を溶融して用紙に定着させて出力する。画像出力部１２０の画像形成動作は画像出力制御部１２により制御される。
【００２２】
ネットワークインタフェース部１３０は、基板上に配置されたマイクロコンピュータ等を備えたネットワーク制御部１３により構成され、ＬＡＮを介してパーソナルコンピュータ等と直接、または、メールに添付してデジタル画像データでなる画像ファイルを送受信する。
【００２３】
ファックス通信部１４０は、基板上に配置されたマイクロコンピュータ等を備えた通信制御部１４により構成され、公衆回線を介してファクシミリ通信により画像ファイルを送受信する。
【００２４】
図３に示すように、操作部２００は、カラー複合機１００に現在設定されているコピー濃度や縮小／拡大等の動作モードを表示し、更に、動作モードを変更設定するソフトウェアキーでなる操作キーが配置された操作画面等を表示する液晶表示部２１と、液晶表示部２１に重ね合わせて設置され、ソフトウェアキーの押下を検出するタッチパネル２２と、コピー動作時に点灯する印刷ランプやファックス送信時やメール送信時に点灯する送信ランプなど、カラー複合機１００の動作状態を消点灯により報知する状態表示ＬＥＤ２３と、ハードウェアキー２４でなる操作キーを備えて構成され、操作制御部２０により制御される。
【００２５】
操作部２００にはハードウェアキー２４として、コピー枚数やコピー濃度等の入力に使用される数値キー２４ａと、印刷やファックス送信やメール送信等を開始させるスタートキー２４ｂと、コピーを実行させるコピーキー２４ｃと、ファックス送信やメール送信を実行させる送信キー２４ｄと、大容量ハードディスク等で構成される文書ボックスにデジタル画像データを記憶させる文書ボックスキー２４ｅと、後述するプログラム情報登録またはプログラム情報呼び出しを実行させるプログラムキー２５が設けられている。
【００２６】
図４に示すように、システム制御部３０に、画像読取制御部１１と画像出力制御部１２とネットワーク制御部１３と通信制御部１４と操作制御部２０と文書ボックスとしての記憶部１５が、通信バスを介して接続されている。
【００２７】
各制御部にはＲＯＭやＲＡＭなどのメモリを内蔵するマイクロコンピュータと周辺回路が備えられる。システム制御部３０は通信バスを介して制御信号を出力してその他の制御部を統括制御する。その他の制御部は制御信号に基づいて夫々の制御対象に所定の動作を実行させる。
【００２８】
操作制御部２０は、マイクロコンピュータ２０ａと、周辺回路として、液晶表示部２１に表示する画面データを展開するＶＲＡＭ２０ｂと、タッチパネル２２の入力インタフェース回路２０ｃと、状態表示ＬＥＤ２３の駆動回路２０ｄと、操作キー２４の入力インタフェース回路２０ｅと、電源オフ時でもデータを保持するフラッシュＲＯＭ２０ｆなどを備えている。
【００２９】
操作制御部２０は、操作キーであるハードウェアキー２４が押下されると入力インタフェース回路２０ｅを介して当該ハードウェアキー２４を検出し、操作画面等に配置された操作キーであるソフトウェアキーが押下されるとタッチパネル２２及び入力インタフェース回路２０ｃを介して当該ソフトウェアキーを検出し、検出した操作キーに関する情報をシステム制御部３０に出力する。
【００３０】
また、操作制御部２０は、システム制御部３０からの制御信号に基づいて、駆動回路２０ｄを介して状態表示ＬＥＤ２０ｅを消点灯するとともに、ＲＯＭに格納された画像データを読み出し、ＶＲＡＭ２０ｂに展開して液晶表示部２１にソフトウェアキーが配置された操作画面等を表示する。
【００３１】
操作制御部２０は、本発明に関する機能ブロックとして、図１に示すように、コピー濃度や縮小／拡大などの複数の動作モードから所望の動作モードが選択可能なモード選択処理部５０と、モード選択処理部５０で選択された動作モードをプログラム情報としてプログラム記憶部２０ｆに記憶するプログラム登録処理部５１と、プログラム記憶部２０ｆに記憶された複数のプログラム情報から所望のプログラム情報が選択可能なプログラム選択処理部５２と、プログラム選択処理部５２で選択されたプログラム情報に基づいて動作モードを設定するプログラム呼出処理部５３を備えている。
【００３２】
オペレータによりコピーキー２４ｃ、送信キー２４ｄ、または、文書ボックスキー２４ｅが押下されると、システム制御部３０は、カラー複合機１００に夫々に対応する動作を実行させるべく、各制御部に制御信号を出力する。
【００３３】
当該制御信号が入力されると、モード選択処理部５０によりソフトウェアキーが配置された操作画面が液晶表示部２１に表示される。当該操作画面はタブによって切替え可能な複数の画面で構成される。各画面には、関連の深い動作モードのソフトウェアキーが配置される。
【００３４】
モード選択処理部５０で選択可能な動作モードはカラー複合機１００によって実現可能な機能単位で且つ各機能の詳細が設定可能なパラメータで設定され、オペレータは各画面に配置された任意のソフトウェアキーを押下して、複数の動作モードから所望の動作モードを選択することができる。
【００３５】
オペレータによりソフトウェアキーが押下され、所望の動作モードが選択されると、モード選択処理部５０により当該動作モードの機能の詳細を設定するための画面やリストが液晶表示部２１に表示される。オペレータは、当該画面や当該リストを操作して、選択した動作モードの機能の詳細をパラメータで設定することができる。システム制御部３０は、オペレータにより選択された動作モードのパラメータがモード選択処理部５０から入力されると各制御部に制御信号を出力し、カラー複合機１００をオペレータの所望の動作モードで動作させる。
【００３６】
例えば、カラー複合機１００でコピーを実行するとき、図５に示すように、頻繁に使用される動作モードに関する画面に切替える「簡単設定」タブと、原稿や給紙する用紙や仕上げ状態等の動作モードに関する画面に切替える「原稿/用紙/仕上げ」タブと、二値画像や中間調画像等の画質の動作モードに関する画面に切替える「画質」タブと、袋とじやページ集約等の動作モードに関する画面に切替える「レイアウト/編集」タブと、合成画像や差込印刷等の動作モードに関する画面に切替える「応用/その他」タブにより切替え可能な五つの画面から構成される操作画面がモード選択制御部５０によって液晶表示部２１に表示される。
【００３７】
コピーに用いる用紙サイズを「Ａ５」に変更するとき、オペレータにより「簡単設定」タブが押下され、用紙設定キーが押下されて用紙設定の動作モードが選択されると、給紙可能な用紙サイズがモード選択処理部５０により液晶表示部２１にパラメータとしてリスト表示される。オペレータによりコピーに用いる用紙サイズとして当該リストに表示された「Ａ５」が押下されて選択されると、モード選択処理部５０からシステム制御部３０に対して、用紙設定の動作モードのパラメータとして「Ａ５」が出力され、システム制御部３０から画像出力制御部１２に対して、コピー実行時には「Ａ５」の用紙を給紙するようにとの制御信号が出力される。
【００３８】
上述のように、オペレータは操作画面に表示されたソフトウェアキーを押下して所望の動作モードを選択し、選択した動作モードの詳細のパラメータを設定してカラー複合機１００を所望の動作モードで動作させることができる。しかし、複数の動作モードの詳細のパラメータを設定するには煩雑な作業が必要である。
【００３９】
そこで、カラー複合機１００は、操作画面で選択して詳細のパラメータを設定した動作モードをプログラム情報として予め登録しておけば、オペレータが必要に応じて対応するプログラム情報を呼び出すだけで、煩雑な作業を行うことなく、詳細のパラメータが設定された所望の動作モードでカラー複合機１００を動作させることができるように構成されている。
【００４０】
オペレータにより操作画面から所望の動作モードのソフトウェアキーが選択され、選択された動作モードの詳細のパラメータが設定されると、図６（ａ）に示すように、モード選択処理部５０により、当該ソフトウェアキーは白黒反転表示され、当該ソフトウェアキー上にオペレータにより設定されたパラメータが表示される。
【００４１】
操作画面の一または複数のソフトウェアキーが白黒反転表示された状態で、オペレータにより操作部２００のプログラムキー２４ｅが押下されると、図６（ｂ）に示すように、プログラム登録処理部５１により液晶表示部２１にプログラム情報登録用の操作画面が表示される。
【００４２】
プログラム登録処理部５１は、プログラム情報に対して付与する「プログラムＮｏ」を「００１」から「１００」まで予め用意しており、オペレータにより押下されて選択された「プログラムＮｏ」と対応付けてプログラム情報をフラッシュＲＯＭ２０ｆに記憶する。即ち、フラッシュＲＯＭ２０ｆは本発明のプログラム記憶部である。尚、本実施形態では、カラー複合機１００に登録可能なプログラム情報は１００個とするが、個数は１００個に限定するものではなく、フラッシュＲＯＭ２０ｆの容量に応じて増減させることができることは言うまでもない。
【００４３】
プログラム情報登録用の操作画面の左側には、予め用意された「プログラムＮｏ」に対してプログラム情報が「登録済」または「未登録」であるか否かがリスト表示されている。図７（ａ）に示すように、オペレータが、当該リスト中、「状態」が「未登録」である任意の「プログラムＮｏ」の行を押下して選択し、操作画面の右側に表示された「登録」ボタンを押下すると、オペレータにより操作画面で選択されて詳細のパラメータが設定された動作モードがプログラム情報として、選択された「プログラムＮｏ」と対応付けられて、プログラム登録処理部５１によりプログラム記憶部２０ｆに記憶され、図７（ｂ）に示すように、当該「プログラムＮｏ」の「状態」が「登録済」としてリストに表示される。
【００４４】
操作画面のソフトウェアキーが何れも選択されていない状態で、オペレータにより操作部２００のプログラムキー２４ｅが押下されると、図８に示すように、プログラム選択処理部５２により液晶表示部２１にプログラム情報呼出用の操作画面が表示される。
【００４５】
プログラム選択処理部５２には、プログラム記憶部２０ｆに記憶された各プログラム情報に対応付けられ、選択可能なプログラムリストを表示するプログラムリスト表示処理部５６が設けられる。プログラムリスト表示処理部５６により、プログラム情報呼出用の操作画面の左側には、プログラム記憶部２０ｆに記憶された各プログラム情報に対応付けられた「プログラムＮｏ」がプログラムリストとして表示される。
【００４６】
オペレータにより当該プログラムリスト中のプログラム情報の「プログラムＮｏ」が押下されて選択されると、プログラム呼出処理部５３により、当該「プログラムＮｏ」に対応付けられたプログラム情報としてプログラム記憶部２０ｆに記憶された所望の動作モードの詳細のパラメータが呼び出され、動作モードが設定された操作画面がプログラム選択処理部５２により液晶表示部２１に表示される。
【００４７】
また、プログラム呼出処理部５３により当該所望の動作モードの詳細のパラメータがシステム制御部３０に出力され、システム制御部３０により各制御部に制御信号が出力されて、カラー複合機１００がオペレータの所望の動作モードで動作される。
【００４８】
ところで、プログラム記憶部２０ｆに記憶されたプログラム情報の個数が増加すると、所望のプログラム情報を呼び出すのに煩雑な作業が必要であり、「プログラムＮｏ」が誤って選択されると、オペレータは非常に煩雑な作業を強いられることになる。また、オペレータがプログラム情報の「プログラムＮｏ」を失念すると、所望のプログラム情報の呼び出しが困難になる。
【００４９】
そこで、カラー複合機１００は、プログラム記憶部２０ｆに記憶された複数のプログラム情報から個別の動作モードに対応する検索キー情報に基づいてプログラム情報を検索するプログラム情報検索処理部５４を備え、プログラム情報検索処理部５４により、オペレータはプログラム記憶部２０ｆに記憶された複数のプログラム情報を絞り込むことができる。
【００５０】
プログラム情報検索処理部５４は、各動作モードに対応した任意の検索キー情報を生成可能な検索キー情報設定部５５を備え、検索キー情報設定部５５は、動作モードに対応する検索キー情報を機能単位で生成する。図８に示すように、プログラム情報呼出用の操作画面の右側には、動作モード単位で設定されたソフトウェアキーが検索キー情報設定部５５により配置される。
【００５１】
図９（ａ）、図９（ｂ）に示すように、当該ソフトウェアキーがオペレータにより押下されて選択されると、検索キー情報設定部５５により白黒反転表示される。また、当該ソフトウェアキーに対応する動作モードに基づいて、プログラム記憶部２０ｆに記憶されたプログラム情報の動作モードに対応する検索キー情報が検索キー情報設定部５５により生成される。
【００５２】
尚、当該プログラム情報呼出用の操作画面の右側には、検索キー情報設定部５５により、「絞込みリセット」のソフトウェアキーが配置されており、当該ソフトウェアキーが押下されると、検索キー情報設定部５５は生成した検索キー情報を全てクリアし、更に、オペレータにより押下されて選択されたソフトウェアキーの表示状態を通常状態で表示させる。
【００５３】
プログラム情報検索処理部５４は、検索キー情報設定部５５により生成された検索キー情報に基づいて、プログラム記憶部２０ｆに記憶された複数のプログラム情報から個別の動作モードに対応するプログラム情報を検索し、オペレータが選択可能なプログラム情報を絞り込む。
【００５４】
プログラムリスト表示処理部５６は、プログラム情報検索処理部５４による検索結果に対応して選択可能なプログラムリストを更新表示するように構成され、プログラム情報検索処理部５４の検索結果に対応して選択可能なプログラムリストを更新表示する。
【００５５】
例えば、図９（ａ）に示すように、枠消しの動作モードに対応するソフトウェアキーが押下されると、検索キー情報設定部５５により枠消しの動作モードに対応する検索キー情報が生成され、プログラム情報検索処理部５４によりプログラム記憶部２０ｆに記憶されたプログラム情報が絞り込まれ、プログラムリスト表示処理部５６により枠消しの動作モードを含むプログラム情報の「プログラムＮｏ」がプログラムリストに更新表示される。
【００５６】
図９（ｂ）に示すように、更に、ページ集約の動作モードに対応するソフトウェアキーが押下されると、検索キー情報設定部５５によりページ集約の動作モードに対応する検索キー情報が生成され、プログラム情報検索処理部５４により枠消しの動作モードを含むプログラム情報が絞り込まれ、プログラムリスト表示処理部５６により枠消しの動作モードとページ集約の動作モードを含むプログラム情報の「プログラムＮｏ」がプログラムリストに更新表示される。
【００５７】
以下に、別実施形態について説明する。
【００５８】
上述の実施形態では、検索キー情報設定部５５は、動作モードに対応する検索キー情報を機能単位で生成するものとして説明したが、動作モードの機能の詳細を設定するパラメータ単位で検索キー情報を生成するものであってもよい。この場合、プログラム情報検索処理部５４によるプログラム情報の検索時間が増加するが、厳しい条件で絞り込み実行されるため、オペレータは、検索結果に基づいて更新表示されたプログラムリストから極めて容易に所望のプログラム情報を選択することができるようになる。
【００５９】
上述の実施形態では、プログラム記憶部２０ｆに記憶されるプログラム情報には、予め設定された「００１」から「１００」の「プログラムＮｏ」が付与されるものとしたが、図１０（ａ）、図１０（ｂ）に示すように、プログラム登録処理部５１は、プログラム情報の登録時に「プログラムＮｏ」に替えて任意の名前を当該プログラム情報に付与するか否かをオペレータに確認する画面を表示し、オペレータが希望するときにはオペレータの希望の名前を当該プログラム情報に付与するものであってもよい。
【００６０】
この場合、プログラム記憶部２０ｆに記憶された複数のプログラム情報に類似した名前が付与されているときなどでも、本発明を使用してオペレータは所望のプログラム情報を容易に選択することができる。
【００６１】
上述の実施形態では、本発明のプログラム記憶部は、操作制御部２０に備えられたフラッシュＲＯＭ２０ｆにより構成されるものとしたが、これに限定するものではなく、例えば、通信バスに接続された記憶部１５など、カラー複合機１００の電源がオフされたときであっても、記憶されたプログラム情報が消去されない記憶媒体であればよい。この場合、操作制御部２０にフラッシュＲＯＭ２０ｆを設置するコストを削減することができる。
【００６２】
上述の実施形態では、カラー複合機１００を用いて本発明の画像処理装置について説明したが、カラー複合機１００に限らず、所望の動作モードをプログラム情報として登録可能な画像処理装置であれば、本発明を適用することが可能であることは言うまでもない。
【００６３】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００６４】
【図１】操作制御部の機能ブロック図
【図２】カラー複合機の機能ブロック図
【図３】操作部の説明図
【図４】操作制御部の説明図
【図５】カラー複合機でコピーを実行するときの操作画面の説明図
【図６】（ａ）はカラー複合機でコピーを実行するときの操作画面の説明図、（ｂ）はプログラム情報登録用の操作画面の説明図
【図７】（ａ）はプログラム情報登録用の操作画面の説明図、（ｂ）はプログラム情報登録用の操作画面の説明図
【図８】プログラム情報呼出用の操作画面の説明図
【図９】（ａ）はプログラム情報呼出用の操作画面の説明図、（ｂ）プログラム情報呼出用の操作画面の説明図
【図１０】（ａ）は別実施形態でのプログラム情報登録用の操作画面の説明図、（ｂ）は別実施形態でのプログラム情報登録用の操作画面の説明図
【符号の説明】
【００６５】
２０：操作制御部
２０ｆ：プログラム記憶部（フラッシュＲＯＭ） 
２１：液晶表示部
２２：タッチパネル
２３：状態表示ＬＥＤ
２５：プログラムキー
３０：システム制御部
５０：モード選択処理部
５１：プログラム登録処理部
５２：プログラム選択処理部
５３：プログラム呼出処理部
５４：プログラム情報検索処理部
５５：検索キー情報設定部
５６：プログラムリスト表示処理部
２００：操作部
【図１】
2009083244.tif 000003
【図２】
2009083244.tif 000004
【図３】
2009083244.tif 000005
【図４】
2009083244.tif 000006
【図８】
2009083244.tif 000007
【図９】
2009083244.tif 000008
【図５】
2009083244.tif 000009
【図６】
2009083244.tif 000010
【図７】
2009083244.tif 000011
【図１０】
2009083244.tif 000012